(57)【要約】【課題】底面に自立水平面を有しない容器であっても、支承して展示及び包装箱詰めも可能であり、更に、容器から直接製品を掬いだして飲食するのに不自然がなく、容器を支持できる台として利用できる食品容器を提供せんとする。【解決手段】上面が開口３し、底面４が凹凸面又は傾斜面のため、上面が水平状態を維持して自立できない容器１であって、この同一の容器１を二個使用し、一方の容器１を裏返して置き、他方の容器１と底面４同士を重合することで、一方の容器１を台として他方の容器１の上面を水平状態に維持して積層できることを特徴とする。【選択図】  図２
2014045936.tif 000002
【特許請求の範囲】
【請求項１】
上面が開口し、底面が凹凸面又は傾斜面のため、上面が水平状態を維持して自立できない容器であって、この同一の容器を二個使用し、一方の容器を裏返して置き、他方の容器と底面同士を重合することで、一方の容器を台として他方の容器の上面を水平状態に維持して積層できることを特徴とする食品容器。
【請求項２】
底面が階段状に形成されていることを特徴とする請求項１記載の食品容器。
【請求項３】
底面が傾斜面で形成され、この傾斜面は点対称の図形であることを特徴とする請求項１記載の食品容器。
【請求項４】
正方形又は長方形である傾斜面の上下端から同一形状の水平底面が延設して形成されていることを特徴とする請求項３記載の食品容器。
【請求項５】
傾斜面が内側へ湾曲して形成されていることを特徴とする請求項４記載の食品容器。
【請求項６】
点対称となる位置に突起又は凹欠を設け、積層時に互いに嵌合することを特徴とする請求項１乃至５のいずれかに記載の食品容器。
【発明の詳細な説明】
【技術分野】
【０００１】
本発明は食品容器に関するものである。
【背景技術】
【０００２】
例えば菓子の中で、水羊羹やゼリー（動物系のゼラチンや、植物系のペクチン・寒天・カラギーナンなどのゲル化剤で凝固させた形態の菓子を称する。）等は、容器に封入されて販売されているものが多く見られ、飲食する時には中身のゼリー等を容器から食器等に移して味わうように求められている。
【０００３】
そして、食器等に移す場合は、容器を反転させ、ゼリー等の形態を維持した状態で移すのであり、ゼリー等は容器の底部の面が上方位置と成って食器等に載せられて提供することが期待されている。
そのため、食器上での見栄えを良くするためにゼリー等の上部面（容器の下部に当たる。）がドーム状の形態が多く採用され、その様に成形できる容器形状としているのである。
【０００４】
そこで、この種の菓子製品は、広く大きく開口した面から垂状に周囲を狭くして頂部を形成した容器へ、当該容器の開口した面からゼリー等の原料を注入して収容し、開口した面を密着蓋やフィルムで密封する工程で製造されるのが一般的である。
そして、通常は開口した密着蓋やフィルムで密封した面を上面として、販売店舗内での展示や包装箱詰めを行なっている。
【０００５】
したがって、容器の底面となる部分は球面や先鋭面となり、容器自体で自立できないか、安定性を欠くため、自立での商品展示の問題があり、また、包装箱詰めにも安定化を図る専用の仕切りや受け材等が必要となる。
【０００６】
関連する先行文献として、特開２００１−１６３３４０号公報では、底部に蒸し蒸気を通す孔を有する丼と、該丼着脱自在、気密に連結され、蒸し蒸気を逃がす孔を有する蓋とからなり、該蓋を手盆として共用できる食品容器が開示されている。
【０００７】
また、特開平７−１１２７７２号公報では、頂部とその反対側に開口部を有する略逆錐体形状の容器本体と、前記容器本体を密封する蓋体とを備える包装用容器であって、前記容器本体の外周面に取り外し可能に嵌合固定する錐台リング形状に形成された外装リング体を備え、前記外装リング体は、前記容器本体の外周面に嵌合固定された前記外装リング体を取り外し反転して前記容器本体の頂部側に嵌合したとき置き台となるようにしたものも開示されている。
【先行技術文献】
【特許文献】
【０００８】
【特許文献１】特開２００１−１６３３４０号公報
【特許文献２】特開平０７−１１２７７２号公報
【発明の概要】
【発明が解決しようとする課題】
【０００９】
そこで、本発明は、底面に自立水平面を有しない容器であっても、支承して展示及び包装箱詰めも可能であり、更に、容器から直接製品を掬いだして飲食するのに不自然がなく、同一の容器を用いて支持台としても利用できる食品容器を提供せんとするものである。
【課題を解決するための手段】
【００１０】
本発明の請求項１に係る食品容器の発明は、上面が開口し、底面が凹凸面又は傾斜面のため、上面が水平状態を維持して自立できない容器であって、この同一の容器を二個使用し、一方の容器を裏返して置き、他方の容器と底面同士を重合することで、一方の容器を台として他方の容器の上面を水平状態に維持して積層できることを特徴とするものである。
【００１１】
請求項２の発明は、請求項１記載の食品容器の発明において、底面が階段状に形成されていることを特徴とするものである。
【００１２】
請求項３の発明は、請求項１記載の食品容器の発明において、底面が傾斜面で形成され、この傾斜面は点対称の図形であることを特徴とするものである。
【００１３】
請求項４の発明は、請求項３記載の食品容器の発明において、正方形又は長方形である傾斜面の上下端から同一形状の水平底面が延設して形成されていることを特徴とするものである。
【００１４】
請求項５の発明は、請求項４記載の食品容器の発明において、傾斜面が内側へ湾曲して形成されていることを特徴とするものである。
【００１５】
請求項６の発明は、請求項１乃至５のいずれかに記載の食品容器の発明において、点対称となる位置に突起又は凹欠を設け、積層時に互いに嵌合することを特徴とするものである。
【発明の効果】
【００１６】
請求項１の発明は、上面が開口し、底面が凹凸面又は傾斜面のため自立できない容器であっても、当該二個の容器を対として、一方の容器を裏返して平面の開口部（製品注入後は、開口した面を密着蓋やフィルムで密封されている。）を平地へ置けば、容易に自立安定するものである。
そして、裏返した底面の凹凸面又は傾斜面に、他方の容器の底面の浅深の凹凸面又は逆方向の傾斜面を合せて載せれば、底面同士が当接重合し、一方の容器を台として他方の容器の上面を水平状態に維持して積層でき、安定した状態で載置を維持するものである。
【００１７】
したがって、同一の容器を二個組み合わせることによって、安定した状態で一体的に載置できる効果があり、収納時や搬送時にはコンパクトにケース詰めが可能であり、安定した状態での商品展示も可能であり、更には、一方を台に利用して置いて飲食のために提供することができる効果も有する。
【００１８】
また、組み合わせた容器に別の種類の菓子を封入し、或いは同一種類でも色違いの菓子を封入して商品展示や提供することで、見栄えが良くなり、興味や食欲をそそる効果も得られるものである。
さらに、従来に無い奇抜な形態の容器として需要の喚起も期待できるものである。
【００１９】
請求項２の発明は、請求項１の効果に加えて、底面が階段状に形成されていることを特徴とするものであるから、階段状の蹴上げ1段あたりの高さ（蹴上寸法）
と、踏み面1段あたりの奥行（踏みづら寸法）を合わせて設計すれば、容易に底面同士が当接重合し、一方の容器を台として他方の容器の上面を水平状態に維持して積層でき、安定した状態で載置を維持できる効果を発揮するものである。
【００２０】
請求項３の発明は、請求項１の効果に加えて、底面が傾斜面で形成され、この傾斜面は点対称の図形であることを特徴とするものであるから、傾斜面同士を逆向きに合わせれば、容易に底面同士が当接重合し、一方の容器を台として他方の容器の上面を水平状態に維持して積層でき、安定した状態で載置を維持できる効果を発揮するものである。
【００２１】
請求項４の発明は、請求項３の効果に加えて、正方形又は長方形である傾斜面の上下端から同一形状の水平底面が延設して形成されているため、当該水平面同士も当接重合し、一方の容器を台として他方の容器の上面を水平状態に維持して積層でき、より安定した状態で載置を維持できる効果を発揮するものである。
【００２２】
請求項５の発明は、請求項４の効果に加えて、傾斜面が内側へ湾曲して形成されているため、二つの食品容器の傾斜面同士は当接する事無く、互いに間隙を生ぜしめるけれども、水平底面同士が当接して重合して支持し、一方の容器を台として他方の容器の上面を水平状態に維持して安定した状態で維持できる効果を発揮するものである。
【００２３】
請求項６の発明は、請求項１乃至５のいずれかの効果に加えて、点対称となる位置に突起又は凹欠を設け、積層時に互いに嵌合する底面に突起又は／及び凹欠を設けたものであるから、当接支持する底面において、突起と凹欠が嵌合して係止し、横滑りを防止して安定した状態で確実に載置できる効果が得られるものである。
【図面の簡単な説明】
【００２４】
【図１】本発明の一実施の形態を示す食品容器を裏返した状態の斜視図である。
【図２】本発明の他の実施の形態を示す食品容器の使用状態を示す側面図である。
【図３】本発明の食品容器の他の実施の形態を示す側面図である。
【図４】図３の食品容器の使用の状態を示す側面図である。
【図５】本発明の他の実施の形態を示す食品容器を裏返した状態の斜視図である。
【図６】本発明の他の実施の形態を示す食品容器を裏返した状態の斜視図である。
【図７】図６の食品容器の使用の状態を示す断面図である。
【図８】本発明の食品容器の他の実施の形態を示す側面図である。
【図９】図８の食品容器の使用の状態を示す側面図である。
【発明を実施するための形態】
【００２５】
本発明の実施の形態を図面に基づいて説明する。
図１は、本発明の一実施の形態を示す食品容器を裏返した状態の斜視図である。
【００２６】
食品容器１は従来と同様に、食品の容器に用いられる軟質の透明樹脂素材で成型され、側周壁２を形成する正方形の枠体と、その上方を開口３としたままで、下方を閉鎖した底面４とし、側周壁２で形成される収容空間５に食品を収容して食品容器として使用する。
開口３には外周縁３１を設け、食品を収容後にフィルム等を貼着して密閉する。
【００２７】
底面４は、４等分された小正方形Ａ、Ｂ、Ｃ、及びＤに分割された凹凸面を成し、且つ、各小正方形Ａ、Ｂ、Ｃ、及びＤの深さ（垂下長）が異なる。
そして、裏返した状態の食品容器１に、同じ食品容器１の底面４の角度を変えて小正方形Ａに小正方形Ｂを、小正方形Ｂに小正方形Ａを、小正方形Ｃに小正方形Ｄを、小正方形Ｄに小正方形Ｃを上下に対応さわせて夫々位置決めして載せれば、嵌合することができるように設計したものである。
【００２８】
したがって、この同一の食品容器１を二個使用し、一方の食品容器１を裏返して置き、他方の食品容器１と底面４、４同士を重合することで、一方の食品容器１を台として他方の食品容器１の上面を水平状態に維持して積層できるものである。
【００２９】
図２は本発明の他の実施の形態を示す食品容器の使用状態を示す側面図であり、横断面が正方形の食品容器１の一側面２１から対向側面２２に向かって底面４が波状の凹凸を形成して成るもので、一方の食品容器１を裏返して置き、他方の食品容器１と底面４、４同士を重合することで、一方の食品容器１を台として他方の食品容器１の上面を水平状態に維持して積層できるものである。
【００３０】
図３は本発明の食品容器の他の実施の形態を示す側面図、図４はその食品容器を二個用いた使用の状態を示す側面図である。
この実施の形態では、底面４が階段状に形成されていることを特徴とするものである。
【００３１】
横断面が正方形又は長方形の食品容器１の対向する側面２１、２２から夫々に同一長さの水平面４１、４２が対向する内側に形成され、当該水平面４１の部分は、水平面４２よりは深い位置まで垂下している。
そして、水平面４１と水平面４２の先端が上下方向に同一長さ近づいて段４４、４４を形成し、水平面４３で互いに連結されて階段状の底面４が形成されている。
【００３２】
図３及び図４の例では、階段状の蹴上げとなる1段あたりの高さ（蹴上寸法）２１、４４と、踏み面となる1段あたりの奥行（踏みづら寸法）４１、４２と４３が相異するけれど、同一の寸法としても良いことは言うまでもない。
【００３３】
図５は本発明の他の実施の形態を示す食品容器を裏返した状態の斜視図であり、底面４が傾斜面４６で形成され、この傾斜面４６は楕円形で点対称の図形と成っている。
二個の同一の食品容器１、１の傾斜面同士を逆向きに合わせれば、容易に底面４、４同士が当接重合し、一方の食品容器１を台として他方の食品容器１の上面を水平状態に維持して積層できる。
【００３４】
この場合、傾斜面は任意の角度でも他方の食品容器１の上面を水平状態に維持して積層できるけれど、当接面の傾斜角度によっては滑る虞があり、底面４に互いに嵌合する突起６Ａ又は／及び凹欠６Ｂを設けることで、当接支持する底面４、４において、突起６Ａと凹欠６Ｂが嵌合して係止し、横滑りを防止して安定した状態で確実に載置を維持できるものとなる。
【００３５】
図６は本発明の他の実施の形態を示す食品容器を裏返した状態の斜視図、図７はその使用の状態を示す断面図である。
食品容器１の底面４が傾斜面４６で形成され、この傾斜面４６は点対称の図形である正方形又は長方形であって、この傾斜面の上下端から同一形状の水平面４７、４８が延設して形成されている。
【００３６】
また、水平面４７と水平面４８の外側面には、突起６Ａと凹欠６Ｂが設けてあり、後述の重ね合わせた時には、上下の当接した水平面４７、４８の突起６Ａと凹欠６Ｂが嵌合する位置に対応して形成されている。
図６では、突起６Ａと凹欠６Ｂは同一の水平面４７及び水平面４８に夫々形成されているけれど、水平面４７には突起６Ａ又は凹欠６Ｂを、水平面４８には凹欠６Ｂ又は突起６Ａのみを形成しても良い。
【００３７】
そこで、図７は本食品容器１、１の使用の状態を示す断面図であり、同一の食品容器１、１を二個用いて使用するものであり、保存、搬送に至便であり、商品の展示における効能があり、飲食に供する場合にも利用することができるものである。
【００３８】
一方の食品容器１を裏返して平面の開口部（製品注入後は、開口した面を密着蓋やフィルムで密封されている。）を平地へ置けば、自立安定した状態を維持して存置できるものである。
そして、裏返した底面４の凹凸状の高低に合わせて、他方の食品容器１の底面４の浅深の凹凸状に合せて載せれば、一方の水平面４７（水平面４８）と他方の水平面４８（水平面４７）、及び傾斜面４６同士が上下に重なって当接し、載置された格好で全体が六面体の形態と成る。
【００３９】
さらに、当接重合する水平底面４７、４８において、突起６Ａと凹欠６Ｂが嵌合して係止するため、互いの横滑りを防止し安定した状態で確実に載置できるものである。
【００４０】
また、図８は他の実施の形態を示す側面図、図９はその使用の状態を示す側面図である。
この実施の形態では、水平面４７と４８の先端同士を連結する傾斜面が想像直線７の内側に弧状にくびれて湾曲面４９に形成されているものである。
【００４１】
したがって、水平面４７と４８とが当接重合して他方を支持するに際して、湾曲面４９同士は当接する事が無く、互いに間隙８を生ぜしめる位置関係とるため、水平面４７、４８同士の当接重合を維持することへの支障とならない。
この実施の形態例における湾曲面４９は、想像直線７の内側に在れば良く、如何なる曲線形状や凹凸形状であっても構わない。
【００４２】
以上のように、本発明を図面に基づいて説明した実施の形態における具体的構成は一例であり、同様の作用効果を得られる他の構成又は手段を排除するものではない。
【符号の説明】
【００４３】
１                            食品容器
２                            側周壁
２１、２２                    対向側面
３                            開口
３１                          外周縁
４                            底面
４１、４２、４３、４７，４８  水平面
４４                          高さ
４６                          傾斜面
４９                          湾曲面
５                            収容空間
６Ａ                          突起
６Ｂ                          凹欠
７                            想像直線
８                            間隙
【図１】
2014045936.tif 000003
【図２】
2014045936.tif 000004
【図３】
2014045936.tif 000005
【図４】
2014045936.tif 000006
【図５】
2014045936.tif 000007
【図６】
2014045936.tif 000008
【図７】
2014045936.tif 000009
【図８】
2014045936.tif 000010
【図９】
2014045936.tif 000011